(57)【特許請求の範囲】
【請求項１】
第１燃料電池セルと、
この第１の燃料電池セルに隣接して配置される第２の燃料電池セルと、
これらの第１の燃料電池セルと第２燃料電池セルを電気的に接続する集電体と、を備え、
前記集電体は前記第１の燃料電池セルに取り付けられる集電部を備え、
前記集電部の内側面と前記第１の燃料電池セルの側面と集電体の側面部とで形成される、導電性接着剤が配置される空間部と、前記空間部の両端部に前記第１の燃料電池セルへ取り付けられる把持部と、を備えることを特徴とする燃料電池セル集合体。
【請求項２】
前記集電部は中央部に前記空間部を備えることを特徴とする請求項１記載の燃料電池セル集合体。
【請求項３】
前記集電部の内側面は矩形状であり、内側面の縦の長さに比べ、内側面の横の長さが短いことを特徴する請求項２記載の燃料電池セル集合体。
【請求項４】
前記集電部が取り付けられる前記第１の燃料電池セルの取付部は第１の電極部であり、前記電極部と異極である第２の電極部が前記第１の電極部と離間し配置されるとともに、前記集電部は前記空間部へ連通する開口部を備え、
前記開口部は前記第２の電極側に配置されないことを特徴とする請求項３記載の燃料電池セル集合体。
【請求項５】
前記集電部は前記内側面を内側の面として備える板状の平面部を備え、
前記開口部は前記平面部に開口される孔であることを特徴とする請求項４記載の燃料電池セル集合体。
セル集合体。
【発明の詳細な説明】
【技術分野】
【０００１】
本発明は、燃料電池セル集合体に関する。
【背景技術】
【０００２】
固体電解質型燃料電池（Solid Oxide Fuel Cell：以下「ＳＯＦＣ」とも言う）は、電解質として酸化物イオン導電性固体電解質を用い、その両側に電極を取り付け、一方の側に燃料ガスを供給し、他方の側に空気を供給して、比較的高温で発電反応を生じさせて発電を行う燃料電池である。
【０００３】
この種の燃料電池では、単一の燃料電池セル（単セル）では、得られる電力が少ないので、特許文献１〜３に示すように、複数の燃料電池セルを平行に並べて、集電部材により電気的に直列に接続して必要な電力を得るようにしている。
【０００４】
特許文献１には、円筒状に形成された固体電解質の内周面に空気電極（＋極）が、また外周面には燃料電極（−極）が形成され、内周側の内周側の空気電極が端部において固体電解質から筒状に延出されている燃料電池セル（単セル）が開示されている。この特許文献１の燃料電池では、複数の燃料電池セル（単セル）をハウジング内に平行に並べ、ハウジング内部に供給する燃料ガスが外部に漏れないように、ハウジングの開放された部分をガスで機密にシールしている。各単セルの外周面には集電体が取り付けられ、この集電体の端部が、一方の空気電極側でガラスから機密に延出して、接続用集電部材を介して隣接する単セルの空気電極に接続されている。特許文献１の燃料電池では、このようにして複数の単セルを直列に接続してスタック化して固体電解質型燃料電池を構成している。
【０００５】
特許文献２には、円筒状に形成された固体電解質の内周面に燃料電極（−極）が、また外周面には空気電極（＋極）が形成され、一端には燃料電極と接続された内側電極（−極）と、他端には空気電極と接続された外側電極（＋極）が形成された燃料電池セル（単セル）が開示されている。この特許文献１の固体電解質型燃料電池では、５×４列からなる２０本の単セルの全てが直列に接続されるように配置されている。具体的には、複数の単セルが交互に逆方向に並べられ、複数の単セルの両端部が支持板により位置決めされ、それぞれの支持板側で、内側電極（−極）と外側電極（＋極）が直列に接続されている。
【０００６】
特許文献３、４にも、特許文献２と同様な燃料電池が開示されている。
【先行技術文献】
【特許文献】
【０００７】
【特許文献１】特開平９−２７４９２７号公報
【特許文献２】特開２００８−７１７１２号公報
【特許文献３】特開２００２−２８９２４９号公報
【特許文献４】特開２００７−９５４４２号公報
【発明の概要】
【発明が解決しようとする課題】
【０００８】
燃料電池セル及び集電部材が熱によって、異なった膨張、収縮することにより、燃料電池セルと集電部材の接触面積の減少や密着力の低下等を引き起こし、燃料電池セルと集電部材との接触抵抗を増大させ、燃料電池セルの発電性能低下の一因となっていることを、本発明者らが初めて知見として得ることができた。
【０００９】
また、上記のように接触抵抗増大となった場合、燃料電池セルから集電部材を取り外し、修正し、再度燃料電池セルに集電部材を取り付けることが考えられる。しかし、燃料電池セルに密着している集電部材を無理に取り外すことになり、燃料電池セルの電極を損傷させ、電極の機能を損失させることになり、燃料電池セルの発電性能や耐久性の低下の原因となっている。そこで、燃料電池セルから集電部材を取り外すことなく、燃料電池セルの発電性能を向上させることが課題であった。
【課題を解決するための手段】
【００１０】
上記課題を解決するために、本発明の燃料電池セル集合体は、第１の燃料電池セルと、この第１の燃料電池セルに隣接して配置される第２の燃料電池セルと、これらの第１の燃料電池セルと第２の燃料電池セルを電気的に接続する集電体と、を備え、この集電体は第１の燃料電池セルに取り付けられる集電部を備え、集電部の内側面と第１の燃料電池セルの側面とで形成される、導電性接着剤が配置される空間部を備えることを特徴としている。
このように構成された本発明においては、第１の燃料電池セル、第２の燃料電池セル、及び、集電体が、熱によって異なる膨張、収縮して、第１の燃料電池セルの側面と集電体との接触抵抗が増大しても、第１の燃料電池セルから集電体を取り外すことなく、第１の燃料電池セルを損傷させずに、空間部に導電性接着剤を配置することができ、燃料電池セルによる発電性能を向上させることができる。  
【００１１】
本発明において、集電体の集電部は中央部に空間部を備え、この空間部の両端部に第１の燃料電池セルへ取り付けられる把持部と、を備えることを特徴としている。
このような構成された本発明において、集電体の集電部は中央部に空間部を備え、この空間部の両端部に第１の燃料電池セルへ取り付けられる把持部を備えているので、上述の特徴を持ちつつ、第１の燃料電池セルへの把持性能を向上させることができる。
【００１２】
本発明において、集電体の集電部の内側面は矩形状であり、内側面の縦の長さに比べ、内側面の横の長さが短いことを特徴としている。
このように構成された本発明において、集電体の集電部の内側面は矩形状であり、内側面の縦の長さに比べ、内側面の横の長さが短いので、導電性接着剤が配置される空間部の大きさを変えることなく、集電体の把持部の長さを長くすることができ、第１の燃料電池セルへの把持性能を向上させることができる。
【００１３】
本発明において、集電体の集電部が取り付けられる第１の燃料電池セルの取付部は第１の電極部であり、第１の電極部と異極である第２の電極部が第１の電極部と離間し配置されるとともに、この集電部は空間部へ連通する開口部を備え、この開口部は第２の電極部側に配置されないことを特徴としている。
このように構成された本発明において、集電体の集電部が取り付けられる第１の燃料電池セルの取付部は第１の電極部であり、第１の電極部と異極である第２の電極部が第１の電極部と離間し配置されるとともに、この集電部は空間部へ連通する開口部を備え、この開口部は第２の電極部に配置されないので、導電性接着剤が配置されても、第１の電極部と第２の電極部とが、導電性接着剤を介して接続してしまうことがない、短絡しにくく形成されており、燃料電池セルによる発電性能を向上させることができる・
【００１４】
本発明において、集電体の集電部は集電体の内側面を内側の面として備える板状の平面部を備え、集電体の開口部はこの平面部に開口される孔であることを特徴としている。
このように構成された本発明において、集電体の集電部は集電体の内側面を内側の面として備える板状の平面部を備え、集電体の開口部はこの平面部に開口される孔であるので、導電性接着剤を集電体の空間部に均一に配置することができ、燃料電池セルの発電性能を向上させることができる。
【発明の効果】
【００１５】
本発明によれば、燃料電池セルと集電体との接触抵抗増大箇所について、燃料電池セルから集電体を取り外すことなく、接触抵抗を低減することで、燃料電池セルの発電性能を向上させることができる。
【図面の簡単な説明】
【００１６】
【図１】本発明の実施形態による固体電解質型燃料電池（ＳＯＦＣ）を示す全体構成図である。
【図２】本発明の実施形態による固体電解質型燃料電池（ＳＯＦＣ）の燃料電池モジュールを示す正面断面図である。
【図３】図２のIII-III線に沿って断面図である。
【図４】本発明の実施形態による固体電解質型燃料電池（ＳＯＦＣ）の燃料電池セルユニットを示す部分断面図である。
【図５】本発明の実施形態による固体電解質型燃料電池（ＳＯＦＣ）の燃料電池セルスタックを示す斜視図である。
【図６】本発明の実施形態による固体電解質型燃料電池（ＳＯＦＣ）の燃料電池セルスタックに使用される集電体を示す斜視図である。
【図７】図６に示す集電体の正面図である。
【図８】図５に示す燃料電池セルスタックの正面図である。
【図９】図８に示す燃料電池セルスタックの正面図Ａ部分の詳細図である。
【図１０】図８に示す燃料電池セルスタックのＢ-Ｂ´線沿っての断面図の一部である。
【発明を実施するための形態】
【００１７】
次に、添付図面を参照して、本発明の実施形態による固体電解質型燃料電池（ＳＯＦＣ）及びこのＳＯＦＣに使用される燃料電池セル集合体を説明する。  図１は、本発明の実施形態による固体電解質型燃料電池（ＳＯＦＣ）を示す全体構成図である。この図１に示すように、本発明の実施形態による固体電解質型燃料電池（ＳＯＦＣ）１は、燃料電池モジュール２と、補機ユニット４を備えている。
【００１８】
燃料電池モジュール２は、ハウジング６を備え、このハウジング６内部には、断熱材（図示せず）を介して密封空間８が形成されている。なお、断熱材は設けないようにしても良い。この密閉空間８の下方部分である発電室１０には、燃料ガスと酸化剤（空気）とにより発電反応を行う燃料電池セル集合体１２が配置されている。この燃料電池セル集合体１２は、１０個の燃料電池セルスタック１４（図５参照）を備え、この燃料電池セルスタック１４は、１６本の燃料電池セルユニット１６（図４参照）から構成されている。このように、燃料電池セル集合体１２は、１６０本の燃料電池セルユニット１６を有し、これらの燃料電池セルユニット１６の全てが直列接続されている。
【００１９】
燃料電池モジュール２の密封空間８の上述した発電室１０の上方には、燃焼室１８が形成され、この燃焼室１８で、発電反応に使用されなかった残余の燃料ガスと残余の酸化剤（空気）とが燃焼し、排気ガスを生成するようになっている。また、この燃焼室１８の上方には、燃料ガスを改質する改質器２０が配置され、残余の燃料ガスの燃焼熱によって改質器２０を改質反応が可能な温度となるように加熱している。さらに、この改質器２０の上方には、燃焼熱を受けて発電用空気を加熱するための空気用熱交換器２２が配置されている。
【００２０】
次に、補機ユニット４は、水道等の水供給源２４からの水を貯水してフィルターにより純水とする純水タンク２６と、この貯水タンクから供給される水の流量を調整する水流量調整ユニット２８（モータで駆動される「水ポンプ」等）を備えている。また、補機ユニット４は、都市ガス等の燃料供給源３０から供給された燃料ガスを遮断するガス遮断弁３２と、燃料ガスから硫黄を除去するための脱硫器３６と、燃料ガスの流量を調整する燃料流量調整ユニット３８（モータで駆動される「燃料ポンプ」等）を備えている。さらに、補機ユニット４は、空気供給源４０から供給される酸化剤である空気を遮断する電磁弁４２と、空気の流量を調整する改質用空気流量調整ユニット４４（モータで駆動される「空気ブロア」等）及び発電用空気流量調整ユニット４５（モータで駆動される「空気ブロア」等）と、改質器２０に供給される改質用空気を加熱する第１ヒータ４６と、発電室に供給される第発電用空気を加熱する第２ヒータ４８とを備えている。これらの第１ヒータ４６と第２ヒータ４８は、起動時の昇温を効率よく行うために設けられているが、省略しても良い。
【００２１】
次に、燃料電池モジュール２には、排気ガスが供給される温水製造装置５０が接続されている。この温水製造装置５０には、水供給源２４から水道水が供給され、この水道水が排気ガスの熱により温水となり、図示しない外部の給湯器の貯湯タンクへ供給されるようになっている。
また、燃料電池モジュール２には、燃料ガスの供給量等を制御するための制御ボックス５２が取り付けられている。
さらに、燃料電池モジュール２には、燃料電池モジュールにより発電された電力を外部に供給するための電力取出部（電力変換部）であるインバータ５４が接続されている。
【００２２】
次に、図２及び図３により、本発明の実施形態による固体電解質型燃料電池（ＳＯＦＣ）の燃料電池モジュールの内部構造を説明する。図２は、本発明の実施形態による固体電解質型燃料電池（ＳＯＦＣ）の燃料電池モジュールを示す側面断面図であり、図３は、図２のIII-III線に沿って断面図である。
図２及び図３に示すように、燃料電池モジュール２のハウジング６内の密閉空間８には、上述したように、下方から順に、燃料電池セル集合体１２、改質器２０、空気用熱交換器２２が配置されている。
【００２３】
改質器２０は、その上流端側に純水を導入するための純水導入管６０と改質される燃料ガスと改質用空気を導入するための被改質ガス導入管６２が取り付けられ、また、改質器２０の内部には、上流側から順に、蒸発部２０ａと改質部２０ｂを形成され、改質部２０ｂには改質触媒が充填されている。この改質器２０に導入された水蒸気（純水）が混合された燃料ガス及び空気は、改質器２０内に充填された改質触媒により改質される。改質触媒としては、アルミナの球体表面にニッケルを付与したものや、アルミナの球体表面にルテニウムを付与したものが適宜用いられる。
【００２４】
この改質器２０の下流端側には、燃料ガス供給管６４が接続され、この燃料ガス供給管６４は、下方に延び、さらに、燃料電池セル集合体１２の下方に形成されたマニホールド６６内で水平に延びている。燃料ガス供給管６４の水平部６４ａの下方面には、複数の燃料供給孔６４ｂが形成されており、この燃料供給孔６４ｂから、改質された燃料ガスがマニホールド６６内に供給される。
【００２５】
このマニホールド６６の上方には、上述した燃料電池セルスタック１４を支持するための貫通孔を備えた下支持板６８が取り付けられており、マニホールド６６内の燃料ガスが、燃料電池セルユニット１６内に供給される。
【００２６】
次に、改質器２０の上方には、空気用熱交換器２２が設けられている。この空気用熱交換器２２は、上流側に空気集約室７０、下流側に２つの空気分配室７２を備え、これらの空気集約室７０と空気分配室７２は、６個の空気流路管７４により接続されている。ここで、図３に示すように、３個の空気流路管７４が一組（７４ａ，７４ｂ，７４ｃ，７４ｄ，７４ｅ，７４ｆ）となっており、空気集約室７０内の空気が各組の空気流路管７４からそれぞれの空気分配室７２へ流入する。
【００２７】
空気用熱交換器２２の６個の空気流路管７４内を流れる空気は、燃焼室１８で燃焼して上昇する排気ガスにより予熱される。
空気分配室７２のそれぞれには、空気導入管７６が接続され、この空気導入管７６は、下方に延び、その下端側が、発電室１０の下方空間に連通し、発電室１０に余熱された空気を導入する。
【００２８】
次に、マニホールド６６の下方には、排気ガス室７８が形成されている。また、図３に示すように、ハウジング６の長手方向に沿った面である前面６ａと後面６ｂの内側には、上下方向に延びる排気ガス通路８０が形成され、この排気ガス室通路８０の上端側は、空気用熱交換器２２が配置された空間と連通し、下端側は、排気ガス室７８と連通している。また、排気ガス室７８の下面のほぼ中央には、排気ガス排出管８２が接続され、この排気ガス排出管８２の下流端は、図１に示す上述した温水製造装置５０に接続されている。  図３に示すように、燃料ガスと空気との燃焼を開始するための点火装置８３が、燃焼室１８に設けられている。
【００２９】
次に図４により燃料電池セルユニット１６について説明する。図４は、本発明の実施形態による固体電解質型燃料電池（ＳＯＦＣ）の燃料電池セルユニットを示す部分断面図である。
図４に示すように、燃料電池セルユニット１６は、燃料電池セル８４と、この燃料電池セル８４の上下方向端部にそれぞれ接続された内側電極端子８６とを備えている。
燃料電池セル８４は、上下方向に延びる管状構造体であり、内部に燃料ガス流路８８を形成する円筒形の第２の電極である内側電極層９０と、円筒形の第１の電極である外側電極層９２と、第２の電極である内側電極層９０と第１の電極である外側電極層９２との間にある電解層９４とを備えている。この内側電極層９０は、燃料ガスが通過する燃料極であり、（−）極となり、一方、外側電極層９２は、空気と接触する空気極であり、（＋）極となっている。
【００３０】
燃料電池セル１６の上端側と下端側に取り付けられた内側電極端子８６は、同一構造であるため、ここでは、上端側に取り付けられた内側電極端子８６について具体的に説明する。内側電極層９０の上部９０ａは、電解層９４と外側電極層９２に対して露出された外周面９０ｂと上端面９０ｃとを備えている。内側電極端子８６は、導電性のシール材９６を介して内側電極層９０の外周面９０ｂと接続され、さらに、内側電極層９０の上端面９０ｃとは直接接触することにより、内側電極層９０と電気的に接続されている。また、内側電極端子８６は、突出した筒状部分８６ａと平坦面８６ｂを備え、筒状部分８６ａの内部には、内側電極層９０の燃料ガス流路８８と連通する燃料ガス流路９８が形成されている。
【００３１】
内側電極層９０は、例えば、Ｎｉと、ＣａやＹ、Ｓｃ等の希土類元素から選ばれる少なくとも一種をドープしたジルコニアとの混合体、Ｎｉと、希土類元素から選ばれる少なくとも一種をドープしたセリアとの混合体、Ｎｉと、Ｓｒ、Ｍｇ、Ｃｏ、Ｆｅ、Ｃｕから選ばれる少なくとも一種をドープしたランタンガレードとの混合体、の少なくとも一種から形成される。
【００３２】
電解層９４は、例えば、Ｙ、Ｓｃ等の希土類元素から選ばれる少なくとも一種をドープしたジルコニア、希土類元素から選ばれる少なくとも一種をドープしたセリア、Ｓｒ、Ｍｇから選ばれる少なくとも一種をドープしたランタンガレート、の少なくとも一種から形成される。
【００３３】
外側電極層９２は、例えば、Ｓｒ、Ｃａから選ばれた少なくとも一種をドープしたランタンマンガナイト、Ｓｒ、Ｃｏ、Ｎｉ、Ｃｕから選ばれた少なくとも一種をドープしたランタンフェライト、Ｓｒ、Ｆｅ、Ｎｉ、Ｃｕから選ばれた少なくとも一種をドープしたランタンコバルタイト、銀、などの少なくとも一種から形成される。
【００３４】
次に図５により燃料電池セルスタック１４について説明する。図５は、本発明の実施形態による固体電解質型燃料電池（ＳＯＦＣ）の燃料電池セルスタックを示す斜視図である。
【００３５】
図５に示すように、燃料電池セルスタック１４は、１６本の燃料電池セルユニット１６を備え、これらの燃料電池セルユニット１６の下端側及び上端側が、それぞれ、セラミック製の下支持板６８及び上支持板１００により支持されている。これらの下支持板６８及び上支持板１００には、内側電極端子８６が貫通可能な貫通穴６８a及び１００ａがそれぞれ形成されている。
【００３６】
燃料電池セルユニット１６には、金属製の集電体１０２及び外部端子９９が取り付けられている。この集電体１０２は、燃料電池セルユニット１６の両端部にある内側電極端子８６と外側電極層９２を電気的に接続するためのものである。
【００３７】
次に図５及び図６により、集電体１０２について詳細に説明する。図６は本発明の実施形態による固体電解質型燃料電池（ＳＯＦＣ）の燃料電池セルスタック（燃料電池セル集合体）に使用される集電体を示す斜視図であり、図７は図６に示す集電体の正面図である。図８は図５に示す燃料電池セルスタックの正面図である。図９は図８に示す燃料電池セルスタックの正面図Ａ部分の詳細図である。図１０は図８に示す燃料電池セルスタックのＢ-Ｂ´線沿っての断面図の一部である。
【００３８】
先ず、集電体１０２は、燃料電池セルユニット１６（燃料電池セル８４）の空気極である外側電極層９２の外周面と電気的に接続される空気極用接続用の第１の集電部１０３と、この第１の集電部１０３から隣接する燃料電セルユニット１６の端部に向けて延び、燃料極である内側電極層９０に取り付けられた内側電極端子８６と電気的に接続される第２の集電部１０８と、この第１の集電部１０３と第２の集電部１０８とを電気的に接続する連接部１０４とを備えている。
【００３９】
次に、集電体１０２の第１の集電部１０３は、燃料電池セルユニット１６に沿って長手方向に延びる平面部１０５と、この平面部１０５から鉛直方向に延び、かつ、燃料電池セルユニット１６に沿って長手方向に延びる側面部１０５ａと、この側面部１０５ａから燃料電池セルユニット１６に沿って円周方向に半円弧状に湾曲して延び、燃料電池セルユニット１６の外側電極層９２へ取り付けられる把持部１０５ｂとを備えられている。また、平面部１０５は、矩形状であり、燃料電池セルユニット１６に沿って長手方向の縦の長さに比べ、燃料電池セルユニット１６に沿って円周方向の横の長さが短いことを備えられている。さらに、平面部１０５は、空間部１０７へ連通し、開口される孔である開口部１０６が備えられている。また、第２の集電部１０８については、第１の集電部１０３とほぼ同様の構成となっている。
【００４０】
また、図４〜図１０により、集電体１０２の空間部１０７は、集電体１０２の平面部１０５の内側面１０９と、集電体の側面部１０５ａと、燃料電池セルユニット１６の外側電極層９２とで形成され、導電性接着剤が配置されることを備えられている。燃料電池セルユニット１６の外側電極層９２と集電体１０２の側面部１０５ａとは隣接配置し、燃料電池セルユニット１６の外側電極層９２と集電体１０２の平面部１０５の内側面１０９とは離間配置していることを特徴としている。また、空間部１０７は、この空間部１０７の両端に隣接された燃料電池セルユニット１６の外側電極層９２に取り付けられる把持部１０５ｂが備えられ、第１の集電部１０３の中央に配置されている。
【００４１】
次に、上述した本発明の実施形態による燃料電池セル集合体における作用、特に、集電体１０２との関係を説明する。
先ず、集電体１０２において、第１の燃料電池セルユニット１６（１２０）の中央外周部である外側電極層９２と第１の燃料電池セルユニット１６（１２０）に隣接する第２の燃料電池セルユニット１６（１２２）の端部とを、集電体１０２を用いて接続し、これを複数接続することによって、燃料電池セルユニット１６を得ることができる。集電体１０２の第１の集電部１０３が、集電体の平面部１０５と、側面部１０５ａと、第１の燃料電池セルユニット１６（１２０）の中央外周部である外側電極層９２とで形成される、導電性接着剤が配置される空間部１０７を備えられているので、熱によって異なる膨張、収縮し、燃料電池セルユニット１６と集電体１０２との接触抵抗が増大しても、燃料電池セルユニット１６から集電体１０２を取り外すことなく、燃料電池セルユニット１６を損傷させずに、集電体１０２の空間部１０７に導電性接着剤を配置することができ、燃料電池セルによる発電性能を向上させることができる。
【００４２】
次に、集電体１０２の第１の集電部１０３が、中央に空間部１０７を備え、この空間部１０７の両端に隣接された燃料電池セルユニット１６の外側電極層９２に取り付けられる把持部１０５ｂが備えられているので、上述の特徴を維持しつつ、燃料電池セルユニット１６への把持性能を向上させることができる。
【００４３】
次に、集電体１０２の平面部１０５は、矩形状であり、燃料電池セルユニット１６に沿って長手方向の縦の長さに比べ、燃料電池セルユニット１６に沿って円周方向の横の長さが短いことを備えられているので、集電体１０２の空間部１０７の大きさを確保しつつ、導電性接着剤を配置でき、接触抵抗を低減させることができる。また、燃料電池セルユニット１６の外側電極層９２に取り付けられる把持部１０５ｂの燃料電池セルユニット１６に沿って円周方向の長さを長くすることができ、燃料電池セルユニット１６への把持性能を向上させることができる。
【００４４】
次に、集電体１０２の第１の集電部１０３が取り付けられる燃料電池セルユニット１６の外側電極層９２と、この外側電極層９２と異極である内側電極層９０及び内側電極端子８６とが離間配置されるとともに、第１の集電部１０３は空間部１０７へ連通する開口部１０６を備え、この開口部１０６は内側電極層９０及び内側電極端子８６側に配置されないことを特徴としているので、空間部１０７へ導電性接着剤を配置した際、燃料電池セルユニット１６の外側電極層９２と、内側電極層９０及び内側電極端子８６とが、配置された導電性接着剤を介して接続されてしまうことがない、短絡しにくく形成されており、さらに、燃料電池セルによる燃料電池セルの発電性能を向上させることができる。
【００４５】
さらに、集電体１０２の第１の集電部１０３は、この第１の集電部１０３の内側面を内側の面おして備える平面部１０５を備え、この第１の集電部１０３の開口部１０６は、平面部１０５に開口される孔であることを特徴としているので、燃料電池セルユニット１６の外側電極層９２から内側電極層９０に向かう燃料電池セルユニット１６に沿って長手方向から導電性接着剤を配置させるより、この開口部１０６から空間部１０７へ導電性接着剤を均一に配置することができ、燃料電池セルの発電性能を向上させることができる。
【符号の説明】
【００４６】
１  固体電解質型燃料電池（ＳＯＦＣ）
２  燃料電池モジュール
１２  燃料電池セル集合体
１４  燃料電池セルスタック
１６  燃料電池セルユニット
６８  下支持板
６８ａ  貫通穴
８４  燃料電池セル
８６  内側電極端子
１００  上支持板
１０２  集電体
１０４  連接部
１０６  開口部
【図１】
0005483259.tif 000002
【図２】
0005483259.tif 000003
【図３】
0005483259.tif 000004
【図４】
0005483259.tif 000005
【図５】
0005483259.tif 000006
【図６】
0005483259.tif 000007
【図７】
0005483259.tif 000008
【図８】
0005483259.tif 000009
【図９】
0005483259.tif 000010
【図１０】
0005483259.tif 000011